(57)【要約】 【課題】  共食いの発生を抑えて養殖効率を高くすることができる養殖設備および養殖方法ならびに給餌装置を提供する。【解決手段】  まぐろの幼魚２を育成する養殖槽５に、まぐろの幼魚２よりも小さい鯛の仔魚１５が、給餌装置６によって放出され、まぐろの幼魚２に鯛の仔魚１５が餌として与えられる。まぐろの幼魚２にとって、自分よりも小さい鯛の仔魚１５は、養殖槽５で一緒に育成される自分と同程度の大きさの他のまぐろの幼魚２に比べて食べ易い。これによってまぐろの幼魚２は、他のまぐろの幼魚２を食べる代わりに鯛の仔魚１５を食べるので、まぐろの幼魚２同士の共食いを抑えることができる。したがってまぐろの幼魚２の養殖効率を高くすることができる。【選択図】      図１
2006075021.tif 000002
【特許請求の範囲】
【請求項１】
養殖用水が貯留されて、複数尾の養殖対象幼魚が育成される養殖槽と、
養殖対象幼魚よりも小さい餌用魚を、養殖槽内に放出する給餌装置とを含むことを特徴とする養殖設備。
【請求項２】
給餌装置は、養殖槽の広範囲に散在する複数の放出位置で、餌用魚を放出することを特徴とする請求項１記載の養殖設備。
【請求項３】
給餌装置は、養殖対象幼魚が泳ぐ方向と反対方向へ向けて、餌用魚を放出することを特徴とする請求項１または２記載の養殖設備。
【請求項４】
給餌装置は、定期的に、餌用魚を放出することを特徴とする請求項１〜３のいずれか１つに記載の養殖設備。
【請求項５】
給餌装置は、養殖槽内に配置され、餌用魚を収容しかつ餌用魚を放出する放出部を備える餌容器を有することを特徴とする請求項１〜４のいずれか１つに記載の養殖設備。
【請求項６】
餌容器は、
餌用魚を収容しかつ餌用魚を放出する放出口が形成される容器本体と、
容器本体の放出口を開閉する開閉部材とを有し、
容器本体の放出口の周縁部と、開閉部材とを含んで放出部が形成されることを特徴とする請求項５記載の養殖設備。
【請求項７】
給餌装置は、
開閉部材を開閉駆動する開閉駆動手段と、
定期的に放出口を開放するように、開閉駆動手段を制御する制御手段とをさらに有することを特徴とする請求項６記載の養殖設備。
【請求項８】
養殖用水を流下させる流下装置をさらに含み、
養殖槽は、曲線の環状に形成され、
流下装置は、養殖用水を養殖槽の周方向一方へ流下させることを特徴とする請求項１〜７のいずれか１つに記載の養殖設備。
【請求項９】
養殖用水を浄化化する浄化装置をさらに含むことを特徴とする請求項１〜８のいずれか１つに記載の養殖設備。
【請求項１０】
養殖対象幼魚は、まぐろの幼魚であり、餌用魚は、鯛の仔魚であることを特徴とする請求項１〜９のいずれか１つに記載の養殖設備。
【請求項１１】
養殖用水が貯留されて、複数尾の養殖対象幼魚が育成される養殖槽に、養殖対象幼魚よりも小さい餌用魚を放出することを特徴とする養殖方法。
【請求項１２】
養殖用水が貯留されて、複数尾の養殖対象幼魚が育成される養殖槽に、養殖対象幼魚よりも小さい餌用魚を放出する給餌装置であって、
餌用魚を収容しかつ餌用魚を放出する放出口が形成される容器本体、および放出口を開閉する開閉部材を有する餌容器と、
開閉部材を開閉駆動する開閉駆動手段と、
定期的に放出口を開放するように、開閉駆動手段を制御する制御手段とを有することを特徴とする給餌装置。
【発明の詳細な説明】
【技術分野】
【０００１】
本発明は、幼魚を育成する養殖設備および養殖方法に関し、特に幼魚に餌を与える給餌装置に関する。
【背景技術】
【０００２】
まぐろなどの魚を、養殖するにあたって、餌を与える必要がある。魚の成長を促進し、また肉質を改善できるように、魚に必要な栄養素が含まれる人工の飼料が用いられている。このように人工飼料を与えて魚を養殖する技術について、たとえば特許文献１に示されている。
【０００３】
【特許文献１】特開平１０−２２９８３０
【発明の開示】
【発明が解決しようとする課題】
【０００４】
このように人工飼料を餌として与えて魚を養殖すると、養殖対象の魚が成魚になる前の幼魚である場合、餌の量が不足していなくても、養殖対象の幼魚同士で共食いが発生し、養殖効率が悪くなってしまう。
【０００５】
したがって本発明の目的は、共食いの発生を抑えて養殖効率を高くすることができる養殖設備および養殖方法ならびに給餌装置を提供することである。
【課題を解決するための手段】
【０００６】
本発明は、養殖用水が貯留されて、複数尾の養殖対象幼魚が育成される養殖槽と、
養殖対象幼魚よりも小さい餌用魚を、養殖槽内に放出する給餌装置とを含むことを特徴とする養殖設備である。
【０００７】
本発明に従えば、養殖対象幼魚が育成される養殖槽に、養殖対象幼魚よりも小さい餌用魚が、給餌装置によって放出され、養殖対象幼魚に餌用魚が餌として与えられる。養殖対象幼魚にとって、自分よりも小さい餌用魚は、養殖槽で一緒に育成される自分と同程度の大きさの他の養殖対象幼魚に比べて食べ易い。これによって養殖対象幼魚は、他の養殖対象幼魚を食べる代わりに餌用魚を食べるので、養殖対象幼魚同士の共食いを抑えることができる。
【０００８】
また本発明は、給餌装置は、養殖槽の広範囲に散在する複数の放出位置で、餌用魚を放出することを特徴とする。
【０００９】
本発明に従えば、養殖槽の広範囲に散在する放出位置で、餌用魚が放出されるので、一部の養殖対象幼魚にだけ偏って、餌用魚が与えられてしまうことを防ぎ、各養殖対象幼魚に、ほぼ均一に餌用魚を与えることができる。これによって餌用魚を食べることができずに、他の養殖対象幼魚を食べてしまう養殖対象幼魚が出現することを防ぐことができる。
【００１０】
また本発明は、給餌装置は、養殖対象幼魚が泳ぐ方向と反対方向へ向けて、餌用魚を放出することを特徴とする。
【００１１】
本発明に従えば、養殖対象幼魚同士は、互いに同一の方向を向き、養殖対象幼魚と餌用魚とは、互いに逆の方向を向いた状態となる。これによって養殖対象幼魚は、他の養殖対象幼魚に比べて餌用魚に遭遇し易くなる。したがって養殖対象幼魚が、餌用魚を食べる機会が多くなるようにすることができる。
【００１２】
また本発明は、給餌装置は、定期的に、餌用魚を放出することを特徴とする。
本発明に従えば、養殖対象幼魚に、定期的に餌用魚が与えられる。これによって養殖対象幼魚は、長期間にわたって餌用魚を食べてない状態になることが防がれる。
【００１３】
また本発明は、給餌装置は、養殖槽内に配置され、餌用魚を収容しかつ餌用魚を放出する放出部を備える餌容器を有することを特徴とする。
【００１４】
本発明に従えば、餌容器に餌用魚を収容しておき、放出部から餌用魚を放出することによって、養殖対象幼魚に餌用魚を与えることができる。また餌用魚が収容される餌容器は、養殖槽内に配置されるので、餌用魚は、餌容器に生きたまま長時間収容することが可能である。したがって餌用魚を、餌容器に収容して直ぐに放出しなければならないなどの、餌用魚の取扱い上の制限を受けることがなく、餌用魚を容易に取扱うことができる。
【００１５】
また本発明は、餌容器は、
餌用魚を収容しかつ餌用魚を放出する放出口が形成される容器本体と、
容器本体の放出口を開閉する開閉部材とを有し、
容器本体の放出口の周縁部と、開閉部材とを含んで放出部が形成されることを特徴とする。
【００１６】
本発明に従えば、餌用魚が収容される容器本体の放出口が、開閉部材によって開閉される。放出口が閉塞されている場合、餌容器に収容される餌用魚の放出が阻止され、放出口が開放されている場合、餌容器に収容される餌用魚が放出される。これによって開閉部材による放出口の開閉によって、餌用魚の放出及び放出停止を制御することができる。
【００１７】
また本発明は、給餌装置は、
開閉部材を開閉駆動する開閉駆動手段と、
定期的に放出口を開放するように、開閉駆動手段を制御する制御手段とをさらに有することを特徴とする。
【００１８】
本発明に従えば、開閉駆動手段を制御手段によって制御することによって、開閉部材による放出口の開閉を制御することができる。
【００１９】
また本発明は、養殖用水を流下させる流下装置をさらに含み、
養殖槽は、曲線の環状に形成され、
流下装置は、養殖用水を養殖槽の周方向一方へ流下させることを特徴とする。
【００２０】
本発明に従えば、養殖用水が、流下装置によって、曲線の環状に形成される養殖槽を、周方向一方へ流下される。これによって養殖対象幼魚の習性を利用して、各養殖対象幼魚を同一の方向へ泳がせることができ、養殖対象幼魚同士が互いに勢いよく衝突することを防ぐことができる。しかも養殖槽が曲線の環状であり、養殖対象幼魚が養殖槽に勢いよく衝突することを防ぐことができる。
【００２１】
また本発明は、養殖用水を浄化化する浄化装置をさらに含むことを特徴とする。
本発明に従えば、養殖用水が、浄化装置によって浄化されるので、養殖槽の環境を改善することができる。したがって養殖用水が悪化することを防止し、養殖対象幼魚への悪影響を防止することができる。
【００２２】
また本発明は、養殖対象幼魚は、まぐろの幼魚であり、餌用魚は、鯛の仔魚であることを特徴とする。
【００２３】
本発明に従えば、比較的、生産の容易な鯛の仔魚を餌として利用し、まぐろの幼魚を、共食いを防止して生育させ、高い養殖効率で養殖することができる。
【００２４】
また本発明は、養殖用水が貯留されて、複数尾の養殖対象幼魚が育成される養殖槽に、養殖対象幼魚よりも小さい餌用魚を放出することを特徴とする養殖方法である。
【００２５】
本発明に従えば、養殖対象幼魚が育成される養殖槽に、養殖対象幼魚よりも小さい餌用魚を放出することによって、養殖対象幼魚に餌用魚を餌として与える。養殖対象幼魚にとって、自分よりも小さい餌用魚は、養殖槽で一緒に育成される自分と同程度の大きさの他の養殖対象幼魚に比べて食べ易い。これによって養殖対象幼魚は、他の養殖対象幼魚を食べる代わりに餌用魚を食べるので、養殖対象幼魚同士の共食いを抑えることができる。
【００２６】
また本発明は、養殖用水が貯留されて、複数尾の養殖対象幼魚が育成される養殖槽に、養殖対象幼魚よりも小さい餌用魚を放出する給餌装置であって、
餌用魚を収容しかつ餌用魚を放出する放出口が形成される容器本体、および放出口を開閉する開閉部材を有する餌容器と、
開閉部材を開閉駆動する開閉駆動手段と、
定期的に放出口を開放するように、開閉駆動手段を制御する制御手段とを有することを特徴とする給餌装置である。
【００２７】
本発明に従えば、養殖対象幼魚が育成される養殖槽に、養殖対象幼魚よりも小さい餌用魚が、給餌装置によって放出され、養殖対象幼魚に餌用魚が餌として与えられる。養殖対象幼魚にとって、自分よりも小さい餌用魚は、養殖槽で一緒に育成される自分と同程度の大きさの他の養殖対象幼魚に比べて食べ易い。これによって養殖対象幼魚は、他の養殖対象幼魚を食べる代わりに餌用魚を食べるので、養殖対象幼魚同士の共食いを抑えることができる。
【発明の効果】
【００２８】
本発明によれば、養殖対象幼魚に餌用魚を与えることによって、養殖対象幼魚同士の共食いを抑えることができ、養殖対象幼魚の養殖効率を高くすることができる。
【００２９】
また本発明によれば、各養殖対象幼魚に、ほぼ均一に餌用魚を与え、餌用魚を食べることができずに、他の養殖対象幼魚を食べてしまう養殖対象幼魚が出現することを防止することができる。したがって養殖対象幼魚同士の共食いを可及的に抑えることができ、養殖効率をさらに向上することができる。
【００３０】
また本発明によれば、養殖対象幼魚が、餌用魚に遭遇し易くすることができる。したがって養殖対象幼魚同士の共食いを可及的に抑えることができ、養殖効率をさらに向上することができる。
【００３１】
また本発明によれば、養殖対象幼魚が、長期間にわたって餌用魚を食べてない状態になることが防がれ、養殖対象幼魚同士の共食いを可及的に抑えることができる。したがって養殖効率をさらに向上することができる。
【００３２】
また本発明によれば、餌容器を用いて、養殖対象幼魚に餌用魚を与えることができる。また餌用魚が収容される。また餌用魚を容易に取扱うことができ、利便性を高くすることができる。
【００３３】
また本発明によれば、開閉部材による放出口の開閉によって、餌用魚の放出及び放出停止を制御することができ、養殖対象幼魚に餌用魚を与える必要があるときだけ、餌用魚の放出することができる。
【００３４】
また本発明によれば、開閉駆動手段を制御手段によって制御し、養殖対象幼魚に餌用魚を与える必要があるときだけ、餌用魚の放出するように、給餌装置を動作させることができる。
【００３５】
また本発明によれば、養殖対象幼魚の習性を利用して、養殖対象幼魚が、養殖槽および他の養殖対象幼魚と衝突してしまうことを防ぎ、傷ついてしまうことを防ぐことができる。
【００３６】
また本発明によれば、養殖用水の悪化が原因で、養殖対象幼魚が発病しまたは死ぬことを防ぎ、養殖対象幼魚が健全に成長することができる環境を維持することができる。
【００３７】
また本発明によれば、鯛の仔魚を利用して、まぐろの幼魚を、高い養殖効率で養殖することができる。
【００３８】
また本発明によれば、養殖対象幼魚同士の共食いを抑えることができ、高い養殖効率で、養殖対象幼魚を養殖することができる。
【００３９】
また本発明によれば、養殖対象幼魚同士の共食いを抑えて、高い養殖効率を達成する養殖設備を実現することができる。
【発明を実施するための最良の形態】
【００４０】
図１は、本発明の実施の一形態の養殖設備１を斜め上方から見て示す斜視図である。図２は、養殖設備１をほぼ水平方向に見て示す斜視図である。図３は、養殖設備１を上方から見て示す平面図である。養殖設備１は、養殖対象幼魚を養殖するための設備である。養殖対象幼魚は、特に限定されることはないが、本実施の形態では、たとえばまぐろの幼魚２である。本発明において、幼魚とは、成魚になる前の魚を総称しており、稚魚および仔魚を含む。
【００４１】
養殖設備１は、基本的には、養殖槽５と、給餌装置６とを含んで構成される。本実施の形態では、養殖設備１は、養殖槽５および給餌装置６に加えて、水量調節装置７と、流下装置８と、浄化装置９とを含んで構成される。
【００４２】
養殖槽５は、上方に開放し、養殖用水が貯留される槽である。具体的は、環状の底部１０と、底部１０の内周部および外周部からそれぞれ立上る内壁１１および外壁１２を有し、曲線に沿って延びる環状に形成される。養殖槽５の形状は、特に限定されるものではなく、楕円形環状、角部が円弧状である略多角形環状などであってもよいが、本実施の形態では、円形環状である。養殖槽５は、複数の支柱１３に支持されて、養殖場の床などに、底部１０を水平に配置して設置される。この養殖槽５は、貯留される養殖用水に複数尾のまぐろの幼魚２が放たれて育成される。
【００４３】
給餌装置６は、まぐろの幼魚２よりも小さい餌用魚を、養殖槽５内に放出するための装置である。餌用魚は、まぐろの幼魚２の餌と成り得る魚であれば、限定されるものではないが、本実施の形態では、鯛の仔魚１５である。仔魚とは、生まれて間もない魚である。鯛は、まぐろなどに比べて、養殖が比較的容易であり、卵から人工ふ化させて、鯛の仔魚１５を容易に生産することができる。しかも人工ふ化させた鯛の仔魚１５には、形状が歪であったり、また傷を有している仔魚が含まれ、成魚になるまで育成しても、商品価値がないので、廃棄処分されてしまう。このような廃棄処分の対象となる鯛の仔魚１５を餌用魚として用いることが好ましく、資源を有効利用することができる。
【００４４】
給餌装置６は、鯛の仔魚１５を放出可能に収容する餌容器１６と、餌容器１６に鯛の仔魚１５を送込む餌投入器１７とを有する。餌容器１６は、一端部１８が塞がれかつ他端部３３が開放される管状の容器であり、養殖槽５内に外壁１２に沿って、一端部１８から他端部３３に一周方向Ａに延ばして配置される。この餌容器１６は、養殖用水に浸漬された状態で設けられ、餌容器１６の軸線方向に間隔をあけて設けられる複数の放出部１９から養殖槽５内に、収容している鯛の仔魚１５を放出可能である。各放出部１９は、養殖槽５の周方向に間隔をあけて配置されている。
【００４５】
餌投入器１７は、ホッパ２０と接続管２１を有し、ホッパ２０が接続管２１によって餌容器１６の他端部３３に接続される。この餌投入器１７は、作業者などによってホッパ２０に投入される鯛の仔魚１５を、接続管２１を介して餌容器１６に導くことができる。このような給餌装置６は、養殖槽５の広範囲に散在する複数の放出位置、したがって各放出部１０が設けられる位置で、鯛の仔魚１５を放出することができる。
【００４６】
水量調節装置７は、養殖槽５に養殖用水を供給する給水手段２２と、養殖槽５内の養殖用水を排出する排水手段２３とを有する。この水量調整装置７は、給水手段２２による養殖用水の供給流量と、排水手段２３による養殖用水の排出流量とを調節することによって、養殖槽５に貯留される養殖用水の水量（貯留量）を調節することができる。
【００４７】
給水手段２２は、一端部２４が養殖槽５の底部１０に接続される給水管２５を有し、給水管２５に介在されるポンプ２６の動力によって、養殖用水を水源から導いて供給することができる。ポンプ２６の回転数などの動作量を制御することによって、供給流量を調節することができる。水源は、海洋などの自然の水源であってもよいし、タンク、溜池などの人工の水源であってもよい。本実施の形態では、海洋から海水を汲み上げて、養殖用水として供給している。また他の実施の形態では、異物、汚れ、雑菌を除去するなど、人工的に加工された水であってもよい。
【００４８】
排水手段２３は、養殖槽５に接続される排水管２８を有する。養殖槽５には、周方向１カ所に、底部１０が下方に凹んで排出凹部２９が形成されている。排水管２８は、一端部３３が排出凹部２９に接続され、排水管２８を介して、養殖槽５内の養殖用水を自重によって排出することができる。排水管２８には、流量調整弁３４が介在されており、この流量調整弁３４を操作することによって、排出流量を調節することができる。
【００４９】
給水手段２２および排水手段２３は、給水管２５の一端部２４が、排出凹部２９に対して一周方向Ａ側に近接した位置に配置されて設けられる。したがって養殖用水の供給位置および排出位置は、周方向に近接している。
【００５０】
流下装置８は、養殖槽５に貯留されている養殖用水に、動力を与えて周方向一方となる一周方向Ａへ流下させるための手段である。本実施の形態では、流下装置８は、送風手段によって実現され、養殖槽５の上部に設けられる噴出器３６に、送風器３５から空気を送り、噴出器３６から一周方向Ａへ吹き出させる。空気は、養殖用水中に噴出されてもよいが、本実施の形態では、養殖用水の上方で水面に沿って噴出される。これによって養殖用水が一周方向Ａへ流下される。噴出器３６は、給水管の一端部２４に近接して配置され、たとえば給水管２４の上方または少し一周方向Ａ側に配置される。
【００５１】
浄化装置９は、バブリング手段４０と、脱窒手段４１とを有する。バブリング手段４０は、養殖槽５の底部１０に設けられる気泡吐出器４３に送風器４４から空気を送り、気泡吐出部４３から養殖用水中に、微細な気泡として吐出する。このように気泡を吐出することによって、養殖用水中に混在する残餌および排泄物などの微細な固形物を、気泡によって捕捉することができる。このように捕捉した固形物は、フィルタなどの濾過装置で除去し、また作業者が網などで掬いとることができる。
【００５２】
脱窒手段４１は、まぐろの幼魚２が排泄することによって養殖用水に含まれるアンモニアを、亜硝酸を経て硝酸に変化させ、さらに硝酸から窒素ガス（Ｎ２）または亜酸化窒素ガス（Ｎ２Ｏ）に変化させて、大気に放出させる。このような変化は、たとえば細菌、バクテリアなどを利用して実現される。脱窒手段４１は、養殖槽５の周方向１カ所に、外壁部１２が半径方向外方に膨らんで形成される膨出部４６の下部に配置される。膨出部４６は、周方向に関して排出凹部２９が形成される位置に配置される。
【００５３】
浄化装置９は、固形物の除去およびアンモニアの分解除去によって、養殖用水を浄化する。浄化装置９は、バブリング手段４０の気泡吐出部４３が、排出凹部２９に対して一周方向Ａと反対方向側に近接した位置に配置されて設けられる。したがってバブリング手段４０の気泡吐出部４３と脱窒手段４１とは周方向に近接している。
【００５４】
このように養殖設備１は、養殖槽５の周方向一部分に集中させて、水量調節装置７、流下装置８および浄化装置９が設けられ、水量調節装置７によって水量調節された養殖用水が養殖槽５に貯留され、浄化装置９で浄化されながら、流下装置８によって一周方向Ａへ流下される。養殖設備１では、養殖槽５に、まぐろの幼魚２が放たれ、適宜餌が与えられて育成される。まぐろの幼魚２に与える餌は、給餌装置６によって与える鯛の仔魚１５だけであってもよいが、餌として、人工飼料を別途に与えるようにしてもよい。
【００５５】
まぐろの幼魚２に鯛の仔魚１５を与える給餌装置６は、その餌容器１６が、養殖槽５の水量調節装置７、流下装置８および浄化装置９が設けられる周方向一部分を除く残余の部分全体にわたって、周方向に延びて配置される。餌容器１６は、他端部３３から一端部１８に向けて、一周方向Ａと反対方向へ延びており、餌投入器１７から投入される鯛の仔魚１５は、餌容器１６内を、一周方向Ａと反対方向へ泳いで移動し、放出部１９の動作によって、一周方向Ａと反対方向を向いた姿勢で養殖槽５内に放出される。
【００５６】
まぐろの幼魚２は、水の流れに沿って泳ぐので、一周方向Ａへ泳いで移動する。したがって給餌装置６によって、まぐろの幼魚２の姿勢と反対向きの姿勢で、まぐろの幼魚２が泳ぐ方向（一周方向Ａ）と反対方向へ向けて、鯛の仔魚１５が放出される。まぐろの幼魚２は、給餌装置６によって放出される鯛の仔魚１５を食べることができる。
【００５７】
図４は、給餌装置６の一部を示す断面図である。給餌装置６の餌容器１６は、容器本体５０と、複数の開閉部材５１とを有する。容器本体５０は、一端部１８が塞がれかつ他端部３３が開放される管状であり、円弧状に湾曲して、養殖槽５の周方向に延びている。この容器本体５０には、その軸線方向に間隔をあけて複数の放出口５３が形成されている。容器本体５０の一端部１８が餌容器１６の一端部となり、容器本体５０の他端部３３が餌容器１８の他端部となり、容器本体５０が養殖槽５に設けられた状態で、各放出口５３は、養殖槽５の周方向に間隔をあけて、半径方向内方側に配置される。
【００５８】
各開閉部材５１は、板状の部材であり、各放出口５３に設けられる。各開閉部材５１は、容器本体５０における放出口５３の周縁部、具体的には一周方向Ａ側の周縁部に、たとえば鉛直な軸線まわりに角変位可能に支持され、この角変位によって、放出口５３を開閉することができる。図４には、放出口５３を開いた状態で示す。容器本体５０の放出口５３の周縁部と、開閉部材５１とを含んで放出部１９が構成され、各放出部１９は、放出口５３を閉じることによって、鯛の仔魚１５の放出を停止し、放出口５３を開くことによって鯛の仔魚１５を矢符Ｂで示すように放出することができる。
【００５９】
各放出部１９は、放出口５３を開閉することによって鯛の仔魚１５の放出および放出停止を制御する構成である。鯛の仔魚１５の放出は、放出口５３が開いているときに、鯛の仔魚１５が自ら泳いで出ることによる放出であってもよいし、放出口５３を開くとともに、鯛の仔魚１５に動力を与えて、強制的に送出すことによる放出であってもよい。
【００６０】
図５は、給餌装置６の放出部１９を拡大して示す断面図である。給餌装置６は、開閉部材５１を開閉駆動する開閉駆動手段５５を有する。開閉駆動手段５５は、開閉部材５１に閉方向のばね力を与えるばね部材５６と、餌容器１６内、したがって容器本体５０内の養殖用水を加圧する加圧器５７とを有する。
【００６１】
ばね部材５６は、たとえばねじりコイルばねによって実現され、一端部が容器本体５０に連結され、他端部が開閉部材５１に連結される。このばね部材５６は、開閉部材５１が放出口５３を閉じた状態で、自然状態となるように設けられ、開閉部材５１が放出口５３を開いた状態では、弾性回復力であるばね力を開閉部材５１に、開閉部材５１が放出口５３を閉じる方向へ与える。したがって開閉部材５１は、外力が与えられない状態では、ばね部材５６によって、放出口５３を閉じて安定している。ばね部材５６は、腐食を防止するためのコーティングが施された金属製のばね、または合成樹脂などの腐食に強い材料から成るばねを用いることが好ましい。
【００６２】
加圧器５７は、具体的な構成の図示は省略するが、たとえばポンプなどを用いて、容器本体５０の他端部３３付近またはホッパ２０から、容器本体５０に養殖用水または空気などの押圧用流体を供給することによって押圧する構成によって実現されてもよい。押圧用の流体をホッパ２０から供給する場合には、ホッパ２０に対して着脱可能に構成し、鯛の仔魚１５を投入するときには、取外すようにすればよい。また加圧器５７は、容器本体５０の他端部３３付近にピストンを設けて、そのピストンを流体圧シリンダによって一端部１８に向けて押圧する構成によって実現されてもよい。
【００６３】
このようなばね部材５６と加圧器５７とを有する開閉駆動手段５５は、加圧器５７による容器本体５０内の養殖用水の押圧を停止している状態、したがって加圧していない状態では、開閉部材５１を、ばね部材５６のばね力で、放出口５３を閉じる位置に配置させ、放出口５３を閉じる。これに対して開閉駆動手段５５は、加圧器５７によって容器本体５０内の養殖用水を押圧している状態、したがって加圧している状態では、開閉部材５１を、容器本体５０内の養殖用水によってばね部材５６のばね力に抗して、放出口５３を開く位置に押圧させ、放出口５３を開く。このようにして開閉駆動手段５５は、開閉部材５１を開閉駆動して、放出口５３を開閉することができる。
【００６４】
加圧器５７を用いる開閉駆動手段５５は、容器本体５０内の養殖用水を放出口５３から容器本体５０外へ放出することによって放出口５３を開く構成であるので、養殖用水の放出に伴って鯛の仔魚１５を強制的に送出すことができる。このように加圧器５７が兼ねる鯛の仔魚１５の強制送出し手段を設けることによって、鯛の仔魚１５が自ら泳いで出る構成と比較して、鯛の仔魚１５の放出を確実にすることができる。
【００６５】
図６は、給餌装置６の電気的構成を示すブロック図である。給餌装置６は、さらに、情報を入力するための入力手段６０と、情報を記憶する記憶手段６１と、時間を計測するタイマ手段６２と、開閉駆動手段５５を制御する制御手段６４とを有する。
【００６６】
入力手段６０は、作業者による操作に基づいて、入力されるべき情報を生成し、制御手段６４に与える。作業者は、この入力手段６０を操作して、制御手段６４による開閉駆動手段５５の制御に必要な情報を入力することができる。制御に必要な情報は、たとえば放出口５３を開く開動作の開始時刻の間隔を表す開動作間隔時間ＴＯおよび開動作を継続する時間を表す開継続時間ＴＫを示す情報を含む。開動作間隔時間ＴＯは、開継続時間ＴＫよりも大きい。
【００６７】
記憶手段６１は、半導体メモリなどによって実現され、制御手段６４の制御に従って情報を記憶する手段であり、制御手段６４による開閉駆動手段５５の制御に必要な情報を記憶する。入力手段６０が操作されて開動作間隔時間ＴＯおよび開継続時間ＴＫを示す情報が入力されると、制御手段６４は、その情報を記憶するように記憶手段６１を制御し、これによって開動作間隔時間ＴＯおよび開継続時間ＴＫを示す情報が記憶手段６１に記憶される。
【００６８】
タイマ手段６２は、制御手段６４の制御に基づいて、時間を計測する手段であり、第１および第２タイマ部を有している。各タイマ部は、個別に時間を計測することができ、制御手段６４によって計測開始が指示されると、リセットして、その時刻からの時間を計測する。
【００６９】
制御手段６４は、マイクロコンピュータなどによって実現される。この制御手段６４は、記憶手段６１に記憶されている開動作間隔時間ＴＯおよび開継続時間ＴＫと、タイマ手段６２によって計測される時間とに基づいて、定期的に放出口５３を開放するように、開閉駆動手段５５を制御する。
【００７０】
図７は、制御手段６４の制御動作を示すフローチャートである。制御手段６４は、給餌装置６の電源がオンされる、また制御の開始するように指示する情報が入力手段６０によって入力されるなどの開始条件を満たすと、ステップｓ０で制御を開始する。ステップｓ１では、タイマ手段６２をリセットし、したがって第１タイマ部による第１計測時間Ｔ１を０にして、第１タイマ部による時間の計測を開始させ、ステップｓ２に進む。
【００７１】
ステップｓ２では、第１計測時間Ｔ１が、設定記憶されている開動作間隔時間ＴＯ以上であるか否か判定する。第１計測時間Ｔ１が開動作間隔時間ＴＯ以上である場合、ステップｓ３に進み、未満である場合にはステップｓ２に戻る。そして、ステップｓ３で、開閉駆動手段５５に放出口５３の開動作を開始させ、ステップｓ４で、タイマ手段６２をリセットさせて、第１計測時間Ｔ１および第２タイマ部による第２計測時間Ｔ２を０にし、第１および第２タイマ部に時間を計測開始させる。
【００７２】
次にステップｓ５では、第２計測時間Ｔ２が、設定記憶されている開継続時間ＴＫ以上であるか否か判定する。第２計測時間Ｔ２が開継続時間ＴＫ以上である場合、ステップｓ６に進み、未満である場合にはステップｓ５に戻る。そして、ステップｓ６で開閉駆動手段５５に放出口５３の開動作を終了させ、ステップｓ２に戻る。制御手段６４は、このような一連の制御動作を、給餌装置６の電源がオフされる、また制御を終了するよう指示する情報が入力手段６０によって入力されるなどの終了条件を満たすまで、繰り返し実行する。
【００７３】
図８は、放出部１９の開閉動作を示すタイミングチャートである。放出部１９は、時刻ｔ０で制御手段６４による制御が開始されると、時刻ｔ０から開動作間隔時間ＴＯ経過後の時刻ｔ１から時刻ｔ２までの開継続時間ＴＫにわたって、放出口５３を開放する。そして時刻ｔ１から開動作間隔時間ＴＯ経過後の時刻ｔ３から時刻ｔ４までの開継続時間ＴＫにわたって、放出口５３を開放する。さらに時刻ｔ３から開動作間隔時間ＴＯ経過後の時刻ｔ５から時刻ｔ６までの開継続時間ＴＫにわたって、放出口５３を開放する。このように定期的に放出口５３を開閉する。
【００７４】
制御手段６４による前述の制御動作は、１つの放出部１９に対する制御動作であり、このような制御動作を各放出部１９に対して実行する。このとき、開動作間隔時間ＴＯおよび開継続時間ＴＫは、各放出部１９に対して同一の値に設定されてもよいし、異なる値に設定されていもよい。開動作間隔時間ＴＯおよび開継続時間ＴＫを同一の値に設定する場合において、制御の開始時刻を一致させると、各放出部１９を同一のタイミングで開閉動作させ、制御の開始時刻をずらすと、異なるタイミングで開閉動作させることができる。また開動作間隔時間ＴＯおよび開継続時間ＴＫのいずれか一方が異なる値に設定される場合には、各放出部１９毎に異なるタイミングで開閉動作させることができる。
【００７５】
本実施の形態の養殖設備によれば、まぐろの幼魚２を育成する養殖槽５に、まぐろの幼魚２よりも小さい鯛の仔魚１５が、給餌装置６によって放出され、まぐろの幼魚２に鯛の仔魚１５が餌として与えられる。まぐろの幼魚２にとって、自分よりも小さい鯛の仔魚１５は、養殖槽５で一緒に育成される自分と同程度の大きさの他のまぐろの幼魚２に比べて食べ易い。これによってまぐろの幼魚２は、他のまぐろの幼魚２を食べる代わりに鯛の仔魚１５を食べるので、まぐろの幼魚２同士の共食いを抑えることができる。したがってまぐろの幼魚２の養殖効率を高くすることができる。
【００７６】
また給餌装置６が複数の放出部１９を有しており、養殖槽５の広範囲に散在する放出位置で、鯛の仔魚１５が放出されるので、一部のまぐろの幼魚２にだけ偏って、鯛の仔魚１５が与えられてしまうことを防ぎ、各まぐろの幼魚２、ほぼ均一に鯛の仔魚を与えることができる。これによって鯛の仔魚１５を食べることができずに、他のまぐろの仔魚１５を食べてしまうまぐろの幼魚２が出現することを防ぐことができる。
【００７７】
また流下手段８によって養殖槽５内の養殖用水を一周方向へ流下させ、まぐろの幼魚２の修正を利用して泳ぐ方向を統一し、まぐろの幼魚２同士が互いに勢いよく衝突することを防ぐことができる。しかも養殖槽５が曲線の環状であり、まぐろの幼魚２が養殖槽５に勢いよく衝突することを防ぐことができる。このようにしてまぐろの幼魚２が傷つくことを防ぐことができる。
【００７８】
さらにこのようにまぐろの幼魚２の修正を利用して泳ぐ方向を統一した上で、前述のような構造の放出部１９によって、まぐろの幼魚２の泳ぐ方向と反対向きに鯛の仔魚１５が放出される。したがってまぐろの幼魚２同士は、互いに同一の方向を向き、まぐろの幼魚２と鯛の仔魚１５とは、互いに逆の方向を向いた状態となる。これによってまぐろの幼魚２は、他のまぐろの幼魚２に比べて鯛の仔魚１５に遭遇し易くなり、まぐろの幼魚２が、鯛の仔魚１５を食べる機会が多くなるようにし、共食いの発生をさらに抑えることができる。
【００７９】
また給餌装置６では、各放出部１９が制御されて定期的に鯛の仔魚１５を放出する。したがってまぐるの幼魚２に、定期的に鯛の仔魚１５が与えられ、長期間にわたって鯛の仔魚１５を食べてない状態になることが防がれる。このようにしてさらに共食いの発生を抑えることができる。
【００８０】
また鯛の仔魚１５を収容する給餌装置６の餌容器１６は、養殖槽５内に配置され、養殖用水に浸漬された状態で設けられるので、鯛の仔魚１５は、餌容器１６に生きたまま長時間収容することが可能である。したがって鯛の仔魚１５を、餌容器１６に収容して直ぐに放出しなければならないなどの、鯛の仔魚１５の取扱い上の制限を受けることがなく、鯛の仔魚１５を容易に取扱うことができる。
【００８１】
また養殖槽５の養殖用水が、浄化装置９によって浄化されるので、養殖槽５の環境を改善することができる。したがって養殖用水が悪化することを防止し、まぐろの幼魚２への悪影響を防止することができ、好適な養殖を実現することができる。また比較的、生産の容易な鯛の仔魚１５を餌として利用しているので、まぐろの幼魚２を、共食いを防止して生育させ、高い養殖効率で養殖することができる。
【００８２】
図９は、本発明の実施の他の形態として養殖設備１に設けられる給餌装置６Ａの一部を拡大して示す断面図である。図９に示す本実施の形態は、図１〜図８に示す前述の実施の形態と類似しており、異なる構成についてだけ説明し、同様の構成については説明を省略する。本実施の形態では、給餌装置６Ａの開閉駆動手段５５Ａは、加圧器５７に代えて、開放機構６９を有する。
【００８３】
開放機構６９は、回転可能に設けられるプーリ７０と、一端部がプーリ７０に連結され、他端部が開閉部材５１に連結される索条体７１と、プーリ７０を正逆両方向へ回転駆動する駆動モータ７２とを有する。この開放機構５７は、駆動モータ７２によってプーリ７０を一方向へ回転させると、プーリ７０によって索条体７１が巻き取られ、開閉部材５１が、ばね部材５６のばね力に抗して放出口５３を開く方向へ角変位させることができる。また開放機構５７は、駆動モータ７２によってプーリ７０を他方向へ回転させると、プーリ７０に巻き取られていた索条体７１が繰出され、開閉部材５１の放出口５３を閉じる方向への角変位を許容することができる。これによって開閉部材５１は、ばね部材５６のばね力によって、放出口５３を閉じる方向へ角変位させることができる。
【００８４】
このように開放機構６９を用いる構成であっても、放出口５３を開閉し、鯛の仔魚１５を放出することができる。開放機構６９を用いる構成では、鯛の仔魚１５を強制的に送出す構成ではないが、この構成であってもよい。また前述の加圧器５７と組合わせて用い、鯛の仔魚１５を強制的に送出すようにしてもよい。
【００８５】
図１０は、本発明の実施のさらに他の形態として養殖設備１に設けられる給餌装置６Ｂの一部を拡大して示す断面図である。図１０に示す本実施の形態は、図１〜図８に示す前述の実施の形態と類似しており、異なる構成についてだけ説明し、同様の構成については説明を省略する。本実施の形態では、給餌装置６Ｂの開閉駆動手段５５Ｂは、加圧器５７およびばね部材５６に代えて、開閉モータ８０を有する。
【００８６】
開閉モータ８０は、開閉部材５１を正逆両方向へ角変位駆動するモータである。この開閉モータ８０によって開閉部材５１を角変位させることによって、放出口５３を開閉することができる。この開閉モータ８０を用いる構成では、鯛の仔魚１５を強制的に送出す構成ではないが、この構成であってもよい。また前述の加圧器５７と組合わせて用い、鯛の仔魚１５を強制的に送出すようにしてもよい。
【００８７】
図１１は、本発明の実施のさらに他の形態の養殖設備１Ｃを示す平面図である。図１１に示す本実施の形態は、図１〜図８に示す前述の実施の形態と類似しており、異なる構成についてだけ説明し、同様の構成については説明を省略する。本実施の形態の養殖設備１Ｃでは、複数、本実施の形態では２つの養殖槽５が、同心円状に設けられ、各養殖槽５に関連して、給餌装置６、水量調節装置７、流下装置８および浄化装置９がそれぞれ設けられる。このような構成にすれば、空間を有効的に利用することができる。
【００８８】
本発明のさらに他の実施の形態では、３つ以上の養殖槽５を設けるようにしてもよい。このように複数の養殖槽５を設ける場合において、給餌装置として、図９および図１０の給餌装置６Ａ，６Ｂを用いるようにしてもよい。
【００８９】
前述の実施の形態は、本発明の例示に過ぎず、構成を変更することができる。たとえば円環状の養殖槽５に代えて、鉛直軸線まわりに旋回する螺旋状の養殖槽を用い、養殖用水が勾配を利用して流下する構成であってもよい。また給餌装置、水量調節装置、流下装置および浄化装置は、前述の構成に限定されるものではなく、目的を達成するものであればよい。たとえば給餌装置６は、鯛の仔魚１５を、養殖槽５に放出できる構成であればよく、具体的な変更例を述べると、開閉部材をスライド変位させることによって放出口を開閉する構成であってもよいし、開閉部材をゴムなどの弾性材料によって形成して、ばね部材を用いなくても、外力が作用しなけば放出口５３を自動的に閉じるように構成してもよい。また水量調節装置は、高さを変更可能な堰を設けて、その高さを変更することによって調整する構成であってもよい。また水量調節装置、流下装置および浄化装置は、必須要件ではないので、これらの装置は、設けられていなくてもよく、適宜取捨選択して設けることができる。
【図面の簡単な説明】
【００９０】
【図１】本発明の実施の一形態の養殖設備１を、斜め上方から見て示す斜視図である。
【図２】養殖設備１を、ほぼ水平方向から見て示す斜視図である。
【図３】養殖設備１を、上方から見て示す平面図である。
【図４】給餌装置６の一部を示す断面図である。
【図５】給餌装置６の放出部１９を拡大して示す断面図である。
【図６】給餌装置６の電気的構成を示すブロック図である。
【図７】制御手段６４の制御動作を示すフローチャートである。
【図８】放出部１９の開閉動作を示すタイミングチャートである。
【図９】本発明の実施の他の形態として養殖設備１に設けられる給餌装置６Ａの一部を拡大して示す断面図である。
【図１０】本発明の実施の他の形態として養殖設備１に設けられる給餌装置６Ａの一部を拡大して示す断面図である。
【図１１】本発明の実施のさらに他の形態の養殖設備１Ｃを示す平面図である。
【符号の説明】
【００９１】
１  養殖設備
２  まぐろの幼魚
５  養殖槽
６  給餌装置
７  水量調節装置
８  流下装置
９  浄化装置
１６  餌容器
１７  餌投入器
１９  放出部
５０  容器本体
５１  開閉部材
５３  放出口
５５，５５Ａ，５５Ｂ  開閉駆動手段
５６  ばね部材
５７  加圧器
６４  制御手段
６９  開放機構
８０  開閉モータ
【図１】
2006075021.tif 000003
【図２】
2006075021.tif 000004
【図３】
2006075021.tif 000005
【図４】
2006075021.tif 000006
【図５】
2006075021.tif 000007
【図６】
2006075021.tif 000008
【図７】
2006075021.tif 000009
【図８】
2006075021.tif 000010
【図９】
2006075021.tif 000011
【図１０】
2006075021.tif 000012
【図１１】
2006075021.tif 000013